(57)【特許請求の範囲】
【請求項１】
複数相のコイルの各々と電源との間に介在した複数のスイッチング素子をＯＮ状態及びＯＦＦ状態にすることで所定のタイミングで整流した電流を前記複数相のコイルの各々に流し、これにより形成された回転磁界と永久磁石が形成する磁界との相互作用で生じる回転力により回転子を回転させるモータに適用されるモータ制御装置であって、
前記複数のスイッチング素子及び前記複数相のコイルの少なくとも何れか一方の近傍に設けられ、当該何れか一方の近傍の温度を検出すると共に、少なくとも所定値以上の温度を検出した際に温度検出信号を出力する温度検出手段と、
前記複数のスイッチング素子に接続され、入力された所定の制御信号に基づくタイミングで前記複数のスイッチング素子の各々をＯＮ状態及びＯＦＦ状態にすると共に、前記温度検出手段に接続されて所定値以上の温度に対応した前記温度検出信号が入力された際には前記制御信号に優先して前記複数のスイッチング素子の少なくとも何れか１つをＯＦＦ状態とし、前記コイルへの通電を停止させる整流制御手段と、
前記温度検出手段に接続されて前記温度検出手段による温度検出を制御する温度検出制御手段と、
を備え、所定値以上の温度を前記温度検出手段が検出することにより前記整流制御手段が前記コイルへの通電を停止した後に、前記温度検出制御手段が前記温度検出手段による前記温度の検出を継続させ、前記温度検出手段が検出する前記温度が前記所定値未満になるまで前記整流制御手段が前記コイルへの通電停止を継続させる、
ことを特徴とするモータ制御装置。
【請求項２】
前記温度検出手段は、
第１温度と当該第１温度よりも低温の第２温度の２種類の閾値が設定され、
温度の上昇過程で前記第１温度に達したことを検出した場合に前記温度検出信号を出力し、
温度の下降過程で前記第２温度に達したことを検出した場合に前記温度検出信号の出力を停止する、
ことを特徴とする請求項１記載のモータ制御装置。
【請求項３】
外部からのモータ駆動信号の入力に伴い通電信号を出力すると共に、前記モータ駆動信号の入力停止若しくは前記モータ駆動信号とは信号レベルが異なるモータ停止信号の入力に伴い前記通電信号とは信号レベルが異なる通電停止信号を出力し、且つ、外部から入力された各種信号の信号レベル及び当該各種信号の入力停止に応じた制御信号を出力するスタンバイ手段と、
前記複数のスイッチング素子の各々に接続され、導通解除状態では前記複数のスイッチング素子の各々への通電を遮断し、少なくとも前記通電信号が直接或いは間接的に入力されることで導通状態となり前記複数のスイッチング素子の各々への通電を可能とすると共に前記スタンバイ手段との間に前記温度検出制御手段が介在した状態で設けられて前記温度検出制御手段に接続され、前記導通状態で前記温度検出手段による前記温度検出を可能とするスイッチ手段と、
を備え、更に、前記通電信号及び前記所定値以上の前記温度に対応した前記温度検出信号の少なくとも何れか一方が前記温度検出制御手段に入力されることで前記温度検出制御手段が前記スイッチ手段を導通状態にする、
ことを特徴とする請求項１又は請求項２記載のモータ制御装置。
【請求項４】
ブロアに直接或いは間接的に連結され、所定のタイミングで整流した電流を複数相のコイルの各々に流すことで生じる回転磁界と永久磁石が形成する磁界との相互作用で生じる回転力により前記ブロアを回転させて車両室内への送風を行なう駆動部と、
外部からのモータ駆動信号の入力に伴い通電信号を出力すると共に、前記モータ駆動信号の入力停止若しくは前記モータ駆動信号とは信号レベルが異なるモータ停止信号の入力に伴い前記通電信号とは信号レベルが異なる通電停止信号を出力し、且つ、外部から入力された各種信号の信号レベル及び当該各種信号の入力停止に応じた制御信号を出力するスタンバイ手段と、
前記複数相のコイルの各々と電源との間に介在し、各々をＯＮ状態及びＯＦＦ状態にすることで前記整流のタイミングを設定する複数のスイッチング素子と、
前記複数のスイッチング素子の各々に接続され、導通解除状態では前記複数のスイッチング素子の各々への通電を遮断すると共に、少なくとも前記通電信号が直接或いは間接的に入力されることで導通状態となり前記複数のスイッチング素子の各々への通電を可能とするスイッチ手段と、
前記複数のスイッチング素子及び前記複数相のコイルの少なくとも何れか一方の近傍に設けられ、当該何れか一方の近傍の温度を検出すると共に、少なくとも所定値以上の温度を検出した際に温度検出信号を出力する温度検出手段と、
前記複数のスイッチング素子及び前記スタンバイ手段に接続され、前記制御信号に基づくタイミングで前記複数のスイッチング素子の各々をＯＮ状態及びＯＦＦ状態にすると共に、前記温度検出手段に接続され、所定値以上の温度に対応した前記温度検出信号に基づき前記制御信号に優先して前記複数のスイッチング素子の少なくとも何れか１つをＯＦＦ状態とし、前記複数のコイルの各々への通電を停止させる整流制御手段と、
前記温度検出手段及び前記スタンバイ手段に接続され、前記所定値以上の温度に対応した前記温度検出信号が入力されてから後、前記温度検出手段による前記温度の検出を継続させると共に、当該温度検出の継続状態で前記所定値未満の温度に対応した前記温度検出信号の入力に伴い前記温度検出手段による前記温度の検出を停止させる温度検出制御手段と、
を備える空調装置用モータ。
【発明の詳細な説明】
【０００１】
【発明の属する技術分野】
本発明は、パワートランジスタ等によってブラシレスモータ等のモータを駆動制御するためのモータ制御装置及び車両の空調装置における送風に用いられる空調装置用モータに関する。
【０００２】
【従来の技術】
車両に搭載された空調装置は、モータの駆動力でブロワを回転させることによって車両室内に送風している。また、このような送風用のモータには所謂「ブラシレスＤＣモータ」が採用されている。
【０００３】
ブラシレスＤＣモータは、通常、駆動回路に設けられたパワートランジスタ等のスイッチング素子を所定のタイミングでＯＮ／ＯＦＦすることで固定子を構成する複数相のコイルに対して所定のタイミングで通電及び通電解除を行ない、コイルの周囲に回転磁界を形成することで、回転子を構成する永久磁石が形成する磁界との相互作用により回転子を回転させている。
【０００４】
このようなブラシレスＤＣモータは、一般の直流モータとは異なり互いに摺接する整流子とブラシを有していないため静粛性能に優れているというメリットがある。
【０００５】
一方、上記のようなブラシレスＤＣモータでは、上記のようにパワートランジスタ等のスイッチング素子をＯＮ／ＯＦＦすることで回転制御を行なっているが、パワートランジスタは、長時間通電することで発熱し、過剰に発熱した場合には、自らの熱で破壊されてしまったり、破壊されないまでも機能が低下してしまう。このような破壊や機能低下を防止するために、通常は、上記のスイッチング素子の近傍等にサーミスタ等の温度検出素子を設け、スイッチング素子近傍の温度を監視している。
【０００６】
通常、スイッチング素子の近傍に設けられた温度検出素子は、過熱保護回路に接続されている。過熱保護回路は、上記のスイッチング素子のＯＮ／ＯＦＦ制御を行なう論理演算回路に接続されており、スイッチング素子近傍の温度が異常上昇した場合の温度検出素子からの電気信号が過熱保護回路に入力されると、過熱保護回路は、異常検知信号を論理演算回路に出力し、論理演算回路にスイッチング素子の全て若しくは何れかをＯＦＦ状態にさせ、全てのスイッチング素子に対する通電を停止させている。
【０００７】
このように、温度が異常上昇した場合に、全てのスイッチング素子に対する通電を停止させることで、全てのスイッチング素子の発熱を停止させ、破壊や機能低下を防止している。
【０００８】
【発明が解決しようとする課題】
ところで、通常、上述したような空調装置用のブラシレスＤＣモータの場合、スタンバイ回路が制御回路に設けられており、操作スイッチ等がスタンバイ回路へ直接或いは間接的に接続された構造となっている。このような構造の場合、モータ停止状態においてはメインの制御電源回路に対する通電を遮断するが、スタンバイ回路にのみ微弱な電流を流し、操作スイッチ等からの電気信号の待機状態（「省電力モード」と称することもある）とする。この状態で、操作スイッチからの電気信号がスタンバイ回路に入力された場合には、メインの制御電源回路に対する通電を再開し、モータの駆動制御を行なうようになっている。
【０００９】
ここで、このようなスタンバイ回路を備えたブラシレスＤＣモータのモータ制御装置では、上記のようにスイッチング素子の発熱を停止するために全てのスイッチング素子に対する通電を停止させた状態では、基本的に、上記の待機状態になり、メインの制御電源回路に対する通電を遮断している。
【００１０】
しかも、このような状態では、通常、過熱保護回路の機能も停止させており、タイマ等によって一定時間が経過した場合に、スイッチング素子への通電を再開すると共に、過熱保護回路を再起動させている。
【００１１】
しかしながら、上記のような一定時間が経過したからといって、必ずしも、充分に温度が低下しているとは限らない。しかも、上記のような待機状態にすることで、一定時間経過後でも論理演算回路は、その構造上、自らの初期化が終了するまでは、過熱保護回路を再起動させない。
【００１２】
したがって、過熱保護回路が再起動するまでの間にスイッチング素子に対する通電が再開されてしまう。当然、上記の初期化が終了すれば、過熱保護回路が再起動するため、再度、スイッチング素子に対する通電が遮断されるが、僅かな時間の通電再開と遮断とが繰り返されることになる可能性がある。このような繰り返しが生じた場合には、結果的にスイッチング素子の発熱が継続され、長時間に亘り高温雰囲気下に温度検出素子を晒すことになる。これにより、熱で温度検出素子が破壊されたり、破壊に至らないまでも機能が低下する可能性があり、改善の余地が多分に残されていた。
【００１３】
本発明は、上記事実を考慮して、過熱状態で待機状態と待機解除を繰り返すことによる温度検出素子等の温度検出手段の熱破壊や機能低下を防止できるモータ制御装置及び空調装置用モータを得ることが目的である。
【００１４】
【課題を解決するための手段】
請求項１記載の本発明は、複数相のコイルの各々と電源との間に介在した複数のスイッチング素子をＯＮ状態及びＯＦＦ状態にすることで所定のタイミングで整流した電流を前記複数相のコイルの各々に流し、これにより形成された回転磁界と永久磁石が形成する磁界との相互作用で生じる回転力により回転子を回転させるモータに適用されるモータ制御装置であって、前記複数のスイッチング素子及び前記複数相のコイルの少なくとも何れか一方の近傍に設けられ、当該何れか一方の近傍の温度を検出すると共に、少なくとも所定値以上の温度を検出した際に温度検出信号を出力する温度検出手段と、前記複数のスイッチング素子に接続され、入力された所定の制御信号に基づくタイミングで前記複数のスイッチング素子の各々をＯＮ状態及びＯＦＦ状態にすると共に、前記温度検出手段に接続されて所定値以上の温度に対応した前記温度検出信号が入力された際には前記制御信号に優先して前記複数のスイッチング素子の少なくとも何れか１つをＯＦＦ状態とし、前記コイルへの通電を停止させる整流制御手段と、前記温度検出手段に接続されて前記温度検出手段による温度検出を制御する温度検出制御手段と、を備え、所定値以上の温度を前記温度検出手段が検出することにより前記整流制御手段が前記コイルへの通電を停止した後に、前記温度検出制御手段が前記温度検出手段による前記温度の検出を継続させ、前記温度検出手段が検出する前記温度が前記所定値未満になるまで前記整流制御手段が前記コイルへの通電停止を継続させる、ことを特徴としている。
【００１６】
上記構成のモータ制御装置によれば、整流制御手段に所定の制御信号が入力されると、この制御信号に基づくタイミングで複数のスイッチング素子が個々にＯＮ状態若しくはＯＦＦ状態にされる。このスイッチング素子のＯＮ、ＯＦＦにより一定のタイミングで整流された電流が複数相のコイルの各々に流れる。このようにして、整流された電流が複数相のコイルの各々に流れることで、複数相のコイルの周囲に回転磁界が形成され、この回転磁界と永久磁石が形成する磁界との相互作用で生じる回転力で、モータの回転子が所定の速さで回転する。
【００１７】
一方、上述した複数のスイッチング素子及び複数相のコイルの少なくとも何れか一方の近傍には温度検出手段が設けられており、この何れか一方の近傍における温度変化が温度検出手段によって検出される。また、少なくとも、所定値以上に温度が上昇したことを温度検出手段が検出すると、温度検出手段からは温度検出信号が出力される。
【００１８】
温度検出信号は整流制御手段に入力され、所定値以上の温度に対応した温度検出信号が整流制御手段に入力されると、整流制御手段では入力された制御信号に優先して温度検出信号に基づき複数のスイッチング素子の少なくとも何れか１つをＯＦＦ状態にし、複数相のコイルの全てに対する通電を遮断する。すなわち、この状態では、基本的に複数のスイッチング素子及び複数相のコイルに電流が流れず、モータが停止する。このため、それまでの通電による複数のスイッチンッグ素子や複数相のコイルの発熱が停止若しくは抑制される。これにより、複数のスイッチンッグ素子や複数相のコイルが過熱状態になることに起因した過熱破壊や機能低下等を防止できる。
【００１９】
ところで、温度検出手段は温度検出制御手段に接続されており、上述した温度検出信号は温度検出制御手段に入力される。ここで、本モータ制御装置では、上記のように、所定値以上の温度を温度検出手段が検出すると、複数のスイッチング素子を介した複数相のコイルへの通電が遮断されてモータを停止させるが、この状態でも温度検出制御手段は温度検出手段による温度検出を継続させる。
【００２０】
したがって、温度上昇に伴いモータが停止された状態であっても、少なくとも所定値以上の温度を温度検出手段が検出すると、温度検出信号が温度検出手段から出力されて、整流制御手段や温度検出制御手段に入力される。このため、温度検出手段が設けられた部位の近傍の温度、すなわち、複数のスイッチング素子及び複数相のコイルの少なくとも何れか一方の近傍の温度が所定値未満になるまでは、モータが作動させられることはない。これにより、温度低下の遅延や温度低下が不充分なままモータが再起動されることに起因する温度検出手段の過熱破壊や機能低下を防止できる。
【００２１】
請求項２記載の本発明は、請求項１記載のモータ制御装置において、前記温度検出手段は、第１温度と当該第１温度よりも低温の第２温度の２種類の閾値が設定され、温度の上昇過程で前記第１温度に達したことを検出した場合に前記温度検出信号を出力し、温度の下降過程で前記第２温度に達したことを検出した場合に前記温度検出信号の出力を停止する、ことを特徴としている。
【００２２】
上記構成のモータ制御装置によれば、温度検出手段には第１温度と第２温度の２種類の閾値が設定されており、温度の上昇過程で第１温度に達したことを温度検出手段が検出すると、温度検出手段から温度検出信号が出力され、この温度検出信号が整流制御手段に入力されることで整流制御手段は複数のスイッチング素子を介した複数相のコイルへの通電を停止する。
【００２３】
一方、第１温度を超えて温度が上昇した後に温度が低下し、この温度下降過程で温度検出手段が検出した温度が第１温度に達しても、温度検出信号の出力が停止されることはない。したがって、この状態でも継続して複数のスイッチング素子を介した複数相のコイルへの通電が停止される。更に、このような温度下降過程で第１温度よりも低温の第２温度に達したことを温度検出手段が検出すると、温度検出手段からの温度検出信号の出力が停止される。したがって、この状態では、整流制御手段に入力される制御信号に応じて整流制御手段が複数のスイッチング素子をＯＮ、ＯＦＦする。
【００２４】
このため、温度が第１温度又は第２温度の近傍で小さく上下動したような場合であっても、温度検出手段から出力される温度検出信号を安定させることができる。
【００２５】
請求項３記載の本発明は、請求項１又は請求項２記載のモータ制御装置において、外部からのモータ駆動信号の入力に伴い通電信号を出力すると共に、前記モータ駆動信号の入力停止若しくは前記モータ駆動信号とは信号レベルが異なるモータ停止信号の入力に伴い前記通電信号とは信号レベルが異なる通電停止信号を出力し、且つ、外部から入力された各種信号の信号レベル及び当該各種信号の入力停止に応じた制御信号を出力するスタンバイ手段と、前記複数のスイッチング素子の各々に接続され、導通解除状態では前記複数のスイッチング素子の各々への通電を遮断し、少なくとも前記通電信号が直接或いは間接的に入力されることで導通状態となり前記複数のスイッチング素子の各々への通電を可能とすると共に前記スタンバイ手段との間に前記温度検出制御手段が介在した状態で設けられて前記温度検出制御手段に接続され、前記導通状態で前記温度検出手段による前記温度検出を可能とするスイッチ手段と、を備え、更に、前記通電信号及び前記所定値以上の前記温度に対応した前記温度検出信号の少なくとも何れか一方が前記温度検出制御手段に入力されることで前記温度検出制御手段が前記スイッチ手段を導通状態にする、ことを特徴としている。
【００２６】
上記構成のモータ制御装置によれば、外部からのモータ駆動信号がスタンバイ手段に入力されると、スタンバイ手段から制御信号及び通電信号が出力される。通電信号はスイッチ手段に入力され、これにより、スイッチ手段が導通状態となる。この導通状態では複数のスイッチング素子の各々へ通電が可能となる。一方、スタンバイ手段から出力された制御信号は整流制御手段に入力される。
また、本モータ制御装置によれば、複数のスイッチング素子の各々に接続されたスイッチ手段に温度検出手段が接続され、スイッチ手段が導通状態になることで、温度検出手段による温度検出が可能となり、スイッチ手段の導通状態が解除されると温度検出手段による温度検出が停止される。
【００２７】
また、スイッチ手段とスタンバイ手段との間には温度検出制御手段が介在しており、スタンバイ手段から出力された通電信号及び温度検出手段から出力された所定値以上の温度に対応した温度検出信号の少なくとも何れか一方が温度検出制御手段に入力されると温度検出制御手段がスイッチ手段を導通状態にする。
【００２８】
したがって、この状態では、温度検出手段による温度検出が行なわれると共に、複数のスイッチング素子に対する通電が可能となる。但し、この状態であっても、整流制御手段がスイッチング素子を介した複数相のコイルへの通電を停止することもあるため、必ずしも、スイッチ手段が導通状態であるからといってモータ作動状態になるとは限らない。
【００２９】
このように、本モータ制御装置では、スイッチ手段が複数のスイッチング素子と温度検出手段に対する通電並びに通電停止を行なうため、構造を簡素化でき、コストを安価にできる。
【００３０】
請求項４記載の空調装置用モータは、ブロアに直接或いは間接的に連結され、所定のタイミングで整流した電流を複数相のコイルの各々に流すことで生じる回転磁界と永久磁石が形成する磁界との相互作用で生じる回転力により前記ブロアを回転させて車両室内への送風を行なう駆動部と、外部からのモータ駆動信号の入力に伴い通電信号を出力すると共に、前記モータ駆動信号の入力停止若しくは前記モータ駆動信号とは信号レベルが異なるモータ停止信号の入力に伴い前記通電信号とは信号レベルが異なる通電停止信号を出力し、且つ、外部から入力された各種信号の信号レベル及び当該各種信号の入力停止に応じた制御信号を出力するスタンバイ手段と、前記複数相のコイルの各々と電源との間に介在し、各々をＯＮ状態及びＯＦＦ状態にすることで前記整流のタイミングを設定する複数のスイッチング素子と、前記複数のスイッチング素子の各々に接続され、導通解除状態では前記複数のスイッチング素子の各々への通電を遮断すると共に、少なくとも前記通電信号が直接或いは間接的に入力されることで導通状態となり前記複数のスイッチング素子の各々への通電を可能とするスイッチ手段と、前記複数のスイッチング素子及び前記複数相のコイルの少なくとも何れか一方の近傍に設けられ、当該何れか一方の近傍の温度を検出すると共に、少なくとも所定値以上の温度を検出した際に温度検出信号を出力する温度検出手段と、前記複数のスイッチング素子及び前記スタンバイ手段に接続され、前記制御信号に基づくタイミングで前記複数のスイッチング素子の各々をＯＮ状態及びＯＦＦ状態にすると共に、前記温度検出手段に接続され、所定値以上の温度に対応した前記温度検出信号に基づき前記制御信号に優先して前記複数のスイッチング素子の少なくとも何れか１つをＯＦＦ状態とし、前記複数のコイルの各々への通電を停止させる整流制御手段と、前記温度検出手段及び前記スタンバイ手段に接続され、前記所定値以上の温度に対応した前記温度検出信号が入力されてから後、前記温度検出手段による前記温度の検出を継続させると共に、当該温度検出の継続状態で前記所定値未満の温度に対応した前記温度検出信号の入力に伴い前記温度検出手段による前記温度の検出を停止させる温度検出制御手段と、を備えている。
【００３１】
上記構成の空調装置用モータによれば、外部からのモータ駆動信号がスタンバイ手段に入力されると、スタンバイ手段から制御信号及び通電信号が出力される。通電信号はスイッチ手段に入力され、これにより、スイッチ手段が導通状態となる。この導通状態では複数のスイッチング素子の各々へ通電が可能となる。
【００３２】
一方、スタンバイ手段から出力された制御信号は整流制御手段に入力される。整流制御手段では、入力された制御信号に応じて複数のスイッチング素子を個々にＯＮ状態若しくはＯＦＦ状態にする。このスイッチング素子のＯＮ、ＯＦＦにより、制御信号に基づく一定のタイミングで整流された電流が複数相のコイルの各々に流れる。
【００３３】
このようにして、整流された電流が複数相のコイルの各々に流れることで、駆動部を構成する複数相のコイルの周囲に回転磁界が形成され、この回転磁界と駆動部を構成する永久磁石が形成する磁界との相互作用で生じる回転力で、駆動部に連結されたブロアが所定の速さで回転する。このブロアの回転によって車両室内への送風が行なわれる。
【００３４】
一方、上述した複数のスイッチング素子及び複数相のコイルの少なくとも何れか一方の近傍には温度検出手段が設けられており、この何れか一方の近傍における温度変化が温度検出手段によって検出される。また、少なくとも、所定値以上に温度が上昇したことを温度検出手段が検出すると、温度検出手段からは温度検出信号が出力される。
【００３５】
温度検出信号は整流制御手段に入力され、所定値以上の温度に対応した温度検出信号が整流制御手段に入力されると、整流制御手段はスタンバイ手段から出力された制御信号に優先して温度検出信号に基づいて複数のスイッチング素子の少なくとも何れか１つをＯＦＦ状態にし、複数相のコイルの全てに対する通電を遮断する。すなわち、この状態では、基本的に複数のスイッチング素子及び複数相のコイルに電流が流れず、駆動部が停止する。このため、それまでの通電による複数のスイッチンッグ素子や複数相のコイルの発熱が停止若しくは抑制される。これにより、複数のスイッチンッグ素子や複数相のコイルが過熱状態になることに起因した過熱破壊や機能低下等を防止できる。
【００３６】
ところで、温度検出手段は温度検出制御手段に接続されており、上述した温度検出信号は温度検出制御手段に入力される。ここで、本空調装置用モータでは、上記のように、所定値以上の温度を温度検出手段が検出すると、複数のスイッチング素子を介した複数相のコイルへの通電が遮断されて駆動部を停止させるが、この状態でも温度検出制御手段は温度検出手段による温度検出を継続させる。したがって、温度上昇に伴い駆動部が停止された状態であっても、少なくとも所定値以上の温度を温度検出手段が検出すると、温度検出信号が温度検出手段から出力されて、整流制御手段や温度検出制御手段に入力される。
【００３７】
このため、温度検出手段が設けられた部位の近傍の温度、すなわち、複数のスイッチング素子及び複数相のコイルの少なくとも何れか一方の近傍の温度が所定値未満になるまでは、駆動部が作動させられることはない。これにより、温度低下の遅延や温度下降（低下）が不充分なまま駆動部が再起動されることに起因する温度検出手段の過熱破壊や機能低下を防止できる。
【００３８】
【発明の実施の形態】
＜本実施の形態の構成＞
（ブラシレスブロワモータ１２の構成の概略）
図３には、本発明の一実施の形態に係るモータ制御装置１０を備えた空調装置用モータとしてのブラシレスブロワモータ１２（以下、単に「モータ１２」と称する）を一部破断した正面断面図が示されている。
【００３９】
この図に示されるように、本モータ１２はハウジング１４を備えており、その内側には駆動部１６とモータ制御装置１０の基板１８が収容されている。
【００４０】
ハウジング１４は一端が開口した浅底の略箱状に形成されており、ハウジング１４の開口端には略円筒形状の筒部３４がハウジング１４に対して一体的に設けられている。
【００４１】
また、ハウジング１４には略円筒形状の支持部３６が設けられており、支持部３６の外周部には駆動部を構成する固定子としてのステータ２８が一体的に取り付けられている。ステータ２８は、薄珪素鋼板等から成る複数枚のコア片を積層して形成されたコア２６を備えており、更に、コア２６には各々が巻線としての三相のコイル３０Ｕ、３０Ｖ、３０Ｗから成るコイル群３０（図２参照）が巻き掛けられている。これらのコイル３０Ｕ〜３０Ｗは、電気的な位相が１２０度ずれるように設けられており、これらのコイル３０Ｕ〜３０Ｗが所定のタイミングで交互に通電或いは通電解除されることにより、ステータ２８の周囲に所定の回転磁界を形成する。
【００４２】
一方、支持部３６の内側には一対の軸受３８が固定されており、これらの軸受３８によってシャフト２０が支持部３６並びに筒部３４に対して同軸的で且つ自らの軸周りに回転自在に支持されている。
【００４３】
シャフト２０の軸方向一端側は筒部３４を貫通しており、その一端部若しくは一端部近傍にてシャフト２０の回転力を受けて回動する図示しない空調装置本体に設けられた送風用のブロワへ機械的に連結されている。
【００４４】
また、シャフト２０の筒部３４から貫通した部分には駆動部を構成する回転子としてのロータ２２が一体的に取り付けられている。ロータ２２はハウジング１４の開口方向とは反対方向へ向けて開口した筒部３４並びに支持部３６に対して同軸の有底筒形状に形成されており、ロータ２２の上底部をシャフト２０が貫通している。
【００４５】
ロータ２２の内周部には、永久磁石としての略円筒形状のマグネット２４がロータ２２に対して同軸的に固定されている。マグネット２４はその軸心を介して半径方向一方の側はＮ極で他方の側がＳ極となるように形成されていると共に、自らの軸芯周りに所定角度（例えば、６０度）毎に磁極の極性が変わるように形成され、その周囲に所定の磁界を形成する。
【００４６】
マグネット２４は支持部３６の半径方向に沿ってステータ２８の外側でステータ２８と対向する如く設けられており、上述したコイル群３０が通電されてステータ２８の周囲に回転磁界が形成されると、この回転磁界とマグネット２４が形成する磁界との相互作用で支持部３６周りの回転力がマグネット２４に生じ、これにより、シャフト２０が回転する構成である。
【００４７】
一方、ステータ２８よりもハウジング１４の底部側には基板１８が配置されている。基板１８は表面及び裏面の少なくとも何れか一方にプリント配線が施されており、複数の抵抗素子やトランジスタ素子、更にはマイクロコンピュータ等の素子が上記のプリント配線を介して適宜に接続されている。
【００４８】
（モータ制御装置１０の構成の概略）
次に、本モータ制御装置１０の構成の概略について、図１に基づいて説明する。
【００４９】
図１に示されるように、モータ制御装置１０は、スタンバイ手段としてのスタンバイ回路５０を備えている。スタンバイ回路５０はスタンバイ電源回路５２に接続されており、更に、スタンバイ電源回路５２を介して電源５４へ接続されている。スタンバイ電源回路５２は、例えば、変圧回路や安定化回路等の各種回路により構成されており、電源５４から入力された電圧を変圧し、電源５４の電圧よりも低い電圧に低下させた後に出力してスタンバイ回路５０に入力する。スタンバイ回路５０はスタンバイ電源回路５２にて変圧された電圧が入力されることにより作動する構成となっているが、基本的には、スタンバイ電源回路５２には常に電源５４からの電圧が入力されているため、スタンバイ回路５０にも常時電圧が入力されている。
【００５０】
また、スタンバイ回路５０の信号入力端子は、速度指令回路５６の信号出力端子へ接続されており、速度指令回路５６を介して操作スイッチ５８に接続されている。操作スイッチ５８は、例えば、車両の運転席近傍に設けられた空調装置操作用の操作パネル等に設けられており、空調装置の起動、停止、風量の変更等が操作スイッチ５８を操作することで行なわれる。
【００５１】
速度指令回路５６は、操作スイッチ５８を操作することで操作スイッチ５８から出力された電気信号に基づいてスタンバイ回路５０にモータ駆動信号としての信号Ｐ１を出力する構成となっている。図４に示されるように、信号Ｐ１はパルス信号とされており、この信号Ｐ１のデューティ比がモータ１２の回転数（すなわち、シャフト２０の回転数）と一次の関係にあり、更に、速度指令回路５６からの信号Ｐ１が入力されたスタンバイ回路５０は、信号Ｐ１のデューティ比に基づく大きさの電圧を有する制御信号としての信号Ｐ２を生成して出力する。
【００５２】
また、スタンバイ回路５０の信号出力端子は、整流制御手段としての論理演算回路６０の信号入力端子に接続されている。論理演算回路６０は三相インバータ６２に接続されている。図２に示されるように、三相インバータ６２は、スイッチング素子としての電界効果トランジスタ（以下、「ＭＯＳＦＥＴ」と称する）６４Ｕ、６４Ｖ、６４Ｗ、６６Ｕ、６６Ｖ、６６Ｗを含めて構成されている。
【００５３】
これらのＭＯＳＦＥＴ６４Ｕ〜６４Ｗ、６６Ｕ〜６６Ｗの各ゲート端子に論理演算回路６０が接続されていると共に、ＭＯＳＦＥＴ６４Ｕ〜６４Ｗ、６６Ｕ〜６６Ｗのうち、ＭＯＳＦＥＴ６４Ｕのソース端子及びＭＯＳＦＥＴ６６Ｕのドレイン端子はコイル３０Ｕの端子へ接続されている。また、ＭＯＳＦＥＴ６４Ｖのソース端子及びＭＯＳＦＥＴ６６Ｖのドレイン端子はコイル３０Ｖの端子へ接続されており、ＭＯＳＦＥＴ６４Ｗのソース端子及びＭＯＳＦＥＴ６６Ｗのドレイン端子はコイル３０Ｗの端子へ接続されている。
【００５４】
論理演算回路６０は、入力された信号Ｐ２に基づいてＭＯＳＦＥＴ６４Ｕ〜６４Ｗ、６６Ｕ〜６６Ｗの各ゲート端子に所定の電圧を印加し、また、所定電圧の印加を解除する。図２に示されるように、各ＭＯＳＦＥＴ６４Ｕ〜６４Ｗ、６６Ｕ〜６６Ｗのドレイン端子は電源５４に接続されており、従来から周知のように、ゲート端子に所定電圧が印加されてＯＮ状態になることで電流がドレイン端子からソース端子へ流れ、ＯＦＦ状態になることで基本的にはドレイン端子とソース端子との間が遮断される。
【００５５】
一方、図１に示されるように、スタンバイ電源回路５２に接続されている電源５４は、スイッチ手段としてのスイッチ回路６８を介してメイン制御電源回路７０にも接続されている。メイン制御電源回路７０は、変圧回路や安定化回路等の各種回路により構成されており、電源５４から入力された電圧を変圧し、電源５４の電圧よりも低い電圧に低下させた後に出力する。
【００５６】
但し、メイン制御電源回路７０から流される電流は、上記のスタンバイ回路５０から流される電流よりも充分に大きい。また、メイン制御電源回路７０は論理演算回路６０に接続されており、メイン制御電源回路７０から出力された電圧が論理演算回路６０に入力され、論理演算回路６０は、このように電圧が入力されて通電されることで作動し、三相インバータ６２を構成するＭＯＳＦＥＴ６４Ｕ〜６４Ｗ、６６Ｕ〜６６Ｗの各ベース端子に電圧を印加（入力）できる構成となっている。
【００５７】
また、論理演算回路６０に接続されているメイン制御電源回路７０は、抵抗Ｒ１を介して上記の三相インバータ６２の近傍に取り付けられた温度検出手段としてのサーミスタ７２に接続されている。周知のとおり、サーミスタ７２は温度変化に伴い電気抵抗値を変化させる半導体素子である。したがって、サーミスタ７２が取り付けられた三相インバータ６２の近傍の温度が変化することでサーミスタ７２の電気抵抗値が変化する。
【００５８】
一方、モータ制御装置１０は、サーミスタ７２と共に温度検出手段を構成し、且つ、温度検出制御手段を構成する過熱保護回路７４を備えている。過熱保護回路７４の信号入力端子はサーミスタ７２と抵抗Ｒ１との間に接続されている。上述したように、三相インバータ６２の近傍の温度が変化することでサーミスタ７２の電気抵抗値が変化する。このサーミスタ７２の電気抵抗値の変化は、抵抗Ｒ１とサーミスタ７２との間における電圧値の変化となり、この電圧値の変化である温度検出信号としての信号Ｐ３（図４参照）が過熱保護回路７４に入力される。
【００５９】
過熱保護回路７４は、基本的に所定の温度Ｔ１未満の温度に対応したサーミスタ７２と抵抗Ｒ１との間の電圧が入力された場合には「Ｈｉｇｈ」レベルの信号Ｐ４（図４参照）を出力し、温度Ｔ１以上の温度に対応したサーミスタ７２と抵抗Ｒ１との間の電圧が入力された場合には「Ｌｏｗ」レベルの信号Ｐ４を出力する。
【００６０】
但し、温度の上昇過程において温度Ｔ１に達した場合には上記のように信号Ｐ４が「Ｈｉｇｈ」レベルから「Ｌｏｗ」レベルに変わるが、温度の下降過程において温度Ｔ１に達しても信号Ｐ４は「Ｌｏｗ」レベルから「Ｈｉｇｈ」レベルに変わることはなく、温度Ｔ１以上の状態からの温度の下降過程において温度Ｔ１よりも低い所定の温度Ｔ２に達することで信号Ｐ４は「Ｌｏｗ」レベルから「Ｈｉｇｈ」レベルに変わるように設定されている（すなわち、温度検出手段としての過熱保護回路７４には、高温側の温度Ｔ１と低温側の温度Ｔ２の２種類の閾値が設定されている）。
【００６１】
また、過熱保護回路７４は、メイン制御電源回路７０に接続されており、メイン制御電源回路７０から出力された電圧が過熱保護回路７４に入力されて通電されることで作動する。但し、メイン制御電源回路７０が作動しておらず、その結果、過熱保護回路７４は通電されていなければ、過熱保護回路７４は作動せず、信号Ｐ４が出力されることはないし、また、このように、メイン制御電源回路７０が作動していないことでサーミスタ７２が通電されていなければ、上記の信号Ｐ３が出力されることもない。
【００６２】
さらに、過熱保護回路７４の信号出力端子は論理演算回路６０の信号入力端子に接続されており、信号Ｐ４は論理演算回路６０に入力される。論理演算回路６０は、上記のように、信号Ｐ２に基づいてＭＯＳＦＥＴ６４Ｕ〜６４Ｗ、６６Ｕ〜６６Ｗの各ベース端子に電圧を印加し、又は、電圧の印加を解除する構成であるが、「Ｌｏｗ」レベル  の信号Ｐ４が入力された場合には、信号Ｐ２を無視して（優先して）ＭＯＳＦＥＴ６４Ｕ〜６４Ｗ、６６Ｕ〜６６Ｗの全て若しくは何れかのベース端子に対する電圧印加を解除し、基本的には全てのＭＯＳＦＥＴ６４Ｕ〜６４Ｗ、６６Ｕ〜６６ＷをＯＦＦ状態にする。
【００６３】
一方、モータ制御装置１０は、過熱保護回路７４と共に温度検出制御手段を構成するスイッチ制御回路７６を備えている。スイッチ制御回路７６はＯＲ回路を含めて構成されており、スイッチ制御回路７６の一方の信号入力端子はスタンバイ回路５０の信号出力端子に接続されている。上記のように、スタンバイ回路５０は、速度指令回路５６からの信号Ｐ１に基づいて制御信号としての信号Ｐ２を生成して論理演算回路に出力するが、信号Ｐ２とは別に通電信号及び通電停止信号としての信号Ｐ５（図４参照）を生成して出力し、この信号Ｐ５がスイッチ制御回路７６に入力される。
【００６４】
信号Ｐ５は、信号Ｐ１のパルスエッジがスタンバイ回路５０に入力されることで「Ｌｏｗ」レベルから「Ｈｉｇｈ」レベルに変わる。また、スタンバイ回路５０に信号Ｐ１のパルスエッジが入力されてから所定時間以内に信号Ｐ１の次のパルスエッジがスタンバイ回路５０に入力されれば信号Ｐ５は「Ｈｉｇｈ」レベルのまま維持され、所定時間以内に信号Ｐ１の次のパルスエッジがスタンバイ回路５０に入力されなければ信号Ｐ５は「Ｈｉｇｈ」レベルから「Ｌｏｗ」レベルに変わる。
【００６５】
また、スイッチ制御回路７６の他方の信号入力端子は、過熱保護回路７４の信号出力端子に接続されており、信号Ｐ４がスイッチ制御回路７６に反転入力される。
【００６６】
さらに、スイッチ制御回路７６は、上記のように、ＯＲ回路を含めて構成されており、スイッチ制御回路７６に入力された信号Ｐ５及び反転後の信号Ｐ４の少なくとも何れか一方が「Ｈｉｇｈ」レベルであれば、スイッチ制御回路７６は「Ｈｉｇｈ」レベルの信号Ｐ６（図４参照）を出力し、スイッチ制御回路７６に入力された信号Ｐ５及び反転後の信号Ｐ４の双方が「Ｌｏｗ」レベルであれば、スイッチ制御回路７６は「Ｌｏｗ」レベルの信号Ｐ６を出力する構成となっている。
【００６７】
また、スイッチ制御回路７６の信号出力端子は、上述したスイッチ回路６８の信号入力端子に接続されており、スイッチ制御回路７６からの信号Ｐ６が入力される。スイッチ回路６８は「Ｈｉｇｈ」レベルの信号Ｐ６が入力されることで導通状態となり、電源５４とメイン制御電源回路７０とを通電状態にし、「Ｌｏｗ」レベルの信号Ｐ６が入力されることで導通解除状態となり、電源５４とメイン制御電源回路７０との間を遮断して通電を解除する。
【００６８】
＜本実施の形態の作用、効果＞
次に、本実施の形態の作用並びに効果について説明する。
【００６９】
本モータ１２では、例えば、車両乗員が空調装置を操作するために操作スイッチ５８を操作すると、操作スイッチ５８からの操作信号が速度指令回路５６に対して出力される。速度指令回路５６は、操作スイッチ５８からの操作信号に基づいて所定のパルス幅を有する信号Ｐ１を出力する（図４の時間Ｓ１からＳ２までの状態を参照）。
【００７０】
信号Ｐ１はスタンバイ回路５０に入力され、スタンバイ回路５０では、信号Ｐ１のパルス幅に対応した電圧値を有する信号Ｐ２が生成されると共に、信号Ｐ１のパルスエッジを検出することで信号Ｐ５の信号レベルが「Ｈｉｇｈ」レベルにする。「Ｈｉｇｈ」レベルの信号Ｐ５がスイッチ制御回路７６に入力された場合には、スイッチ制御回路７６から出力される信号Ｐ６の信号レベルが「Ｈｉｇｈ」レベルとなり、スイッチ回路６８が導通状態になる。これにより、電源５４とメイン制御電源回路７０との間が通電状態となり、論理演算回路６０や、過熱保護回路７４、及びサーミスタ７２が作動状態となる。
【００７１】
また、このようにして論理演算回路６０は作動状態となり、スタンバイ回路５０からの信号Ｐ２に基づいて三相インバータ６２を構成するＭＯＳＦＥＴ６４Ｕ〜６４Ｗ、６６Ｕ〜６６Ｗの各ゲート端子に所定の電圧が印加されてＯＮ状態となり、又は、所定電圧の印加を解除されてＯＦＦ状態となる。これにより、コイル３０Ｕ〜３０Ｗが適宜に通電されて、これにより、コイル３０Ｕ〜３０Ｗの周囲に回転磁界が形成される。
【００７２】
このようにしてコイル３０Ｕ〜３０Ｗの周囲に形成された回転磁界とマグネット２４の磁界との相互作用でマグネット２４に回転力が生じ、この回転力がマグネット２４と一体のシャフト２０を信号Ｐ１のパルス幅に対応した速度で回転させる。シャフト２０の回転は、直接或いは間接的に空調装置のブロワに伝えられ、これにより、ブロワが回転することで、空調装置から車両室内に送風される。
【００７３】
これに対して、図４の時間Ｓ１からＳ２までの間のように、「Ｈｉｇｈ」レベルの信号Ｐ１が一定時間内にスタンバイ回路５０に入力されれば信号Ｓ２（図４においては図示省略）及び信号Ｓ５が継続してスタンバイ回路５０から出力されるが、図４の時間Ｓ２からＳ３までの間のように、一定時間以上、後続の信号Ｓ１が「Ｌｏｗ」レベルで、しかも、この状態で反転された信号Ｐ４が「Ｌｏｗ」レベル（反転前状態で「Ｈｉｇｈ」レベル）であれば、スイッチ制御回路７６は「Ｌｏｗ」レベルの信号Ｐ６を出力するため、スイッチ回路６８の導通は解除され、メイン制御電源回路７０への通電が遮断される。
【００７４】
この状態では、論理演算回路６０への通電が遮断されるため、論理演算回路６０が作動を停止し、これにより、ＭＯＳＦＥＴ６４Ｕ〜６４Ｗ、６６Ｕ〜６６Ｗの各ゲート端子に対する電圧印加が解除され、全てのＭＯＳＦＥＴ６４Ｕ〜６４Ｗ、６６Ｕ〜６６Ｗの各ゲート端子がＯＦＦ状態になる。また、メイン制御電源回路７０への通電が遮断されることで、サーミスタ７２や過熱保護回路７４への通電が遮断される。この状態では、図４に示されるように、信号Ｐ３及び信号Ｐ４は出力自体が停止され、言わば、サーミスタ７２による温度検出が停止された状態となる。
【００７５】
一方、上記のように、モータ１２が作動してＭＯＳＦＥＴ６４Ｕ〜６４Ｗ、６６Ｕ〜６６Ｗの導通、導通解除が頻繁に繰り返されると、ＭＯＳＦＥＴ６４Ｕ〜６４Ｗ、６６Ｕ〜６６Ｗが発熱する。上述したように、ＭＯＳＦＥＴ６４Ｕ〜６４Ｗ、６６Ｕ〜６６Ｗを含めて構成される三相インバータ６２の近傍にはサーミスタ７２が設けられているため、ＭＯＳＦＥＴ６４Ｕ〜６４Ｗ、６６Ｕ〜６６Ｗが発熱することで三相インバータ６２の近傍の温度が上昇すると（図４の時間Ｓ１〜Ｓ２間における温度Ｔの変化を参照）、これに伴い、サーミスタ７２の電気抵抗値が漸次低下する。
【００７６】
このように、三相インバータ６２の近傍の温度が上昇して温度Ｔ１に達し（図４の時間Ｓ４の状態を参照）、これに対応した信号Ｐ３が過熱保護回路７４に入力されると、「Ｌｏｗ」レベルの信号Ｐ４が過熱保護回路７４から出力される。上記のように、信号Ｐ４は論理演算回路６０に入力されるが、「Ｌｏｗ」レベルの信号Ｐ４が入力された論理演算回路６０は、信号Ｐ２の状態に関わり無く信号Ｐ４を優先して、ＭＯＳＦＥＴ６４Ｕ〜６４Ｗ、６６Ｕ〜６６の全て若しくは少なくとも何れか１つのベース端子に対する電圧印加を解除し、全てのＭＯＳＦＥＴ６４Ｕ〜６４Ｗ、６６Ｕ〜６６におけるドレイン端子とソース端子との間の通電を停止させる。これにより、各コイル３０Ｕ〜３０Ｗに対する通電も遮断され、モータ１２は停止するか、或いは、それまでの慣性によってのみ回転する。
【００７７】
このように、本実施の形態では、三相インバータ６２の近傍の温度がＴ１以上になった場合に、ＭＯＳＦＥＴ６４Ｕ〜６４Ｗ、６６Ｕ〜６６におけるドレイン端子とソース端子との間の通電を停止することで、ＭＯＳＦＥＴ６４Ｕ〜６４Ｗ、６６Ｕ〜６６の温度上昇を停止若しくは抑制できる。このため、過剰な発熱よるＭＯＳＦＥＴ６４Ｕ〜６４Ｗ、６６Ｕ〜６６の破壊や機能低下を防止できる。
【００７８】
一方、信号Ｐ４はスイッチ制御回路７６に論理反転されて入力されるため、この状態においてスイッチ制御回路７６入力された信号Ｐ４は「Ｈｉｇｈ」レベルとなる。ここで、図４に時間Ｓ５からＳ６までの間のように、信号Ｐ１が一定時間以上「Ｌｏｗ」レベルであっても、時間Ｓ４以降は論理反転された信号Ｐ４が「Ｈｉｇｈ」レベルであるため、時間Ｓ５以降もスイッチ制御回路７６からは「Ｈｉｇｈ」レベルの信号Ｓ６が出力される。このため、メイン制御電源回路７０の通電状態が維持され、論理演算回路６０、サーミスタ７２、及び過熱保護回路７４は通電状態となる。
【００７９】
すなわち、本実施の形態では、三相インバータ６２の近傍の温度が上昇して温度Ｔ１に達して以降（図４の時間Ｓ４以降）、全てのＭＯＳＦＥＴ６４Ｕ〜６４Ｗ、６６Ｕ〜６６におけるドレイン端子とソース端子との間の通電が停止されるが、サーミスタ７２及び過熱保護回路７４は継続して作動し、サーミスタ７２からは信号Ｐ３が出力され、過熱保護回路７４からは入力された信号Ｐ３に基づいて信号Ｐ４が出力される。
【００８０】
したがって、本実施の形態では、三相インバータ６２の近傍の温度がＴ１以上になっている状態で、ＭＯＳＦＥＴ６４Ｕ〜６４Ｗ、６６Ｕ〜６６におけるドレイン端子とソース端子との間の通電が再開されることはなく、ＭＯＳＦＥＴ６４Ｕ〜６４Ｗ、６６Ｕ〜６６におけるドレイン端子とソース端子との間における通電が再開されることによって生じる温度上昇によってサーミスタ７２が破壊されたり、サーミスタ７２の機能を低下させたりすることがない。また、このような通電再開を行なわせないことで、過剰な発熱よるＭＯＳＦＥＴ６４Ｕ〜６４Ｗ、６６Ｕ〜６６の破壊や機能低下もより一層効果的に防止できる。
【００８１】
また、上記のように、全てのＭＯＳＦＥＴ６４Ｕ〜６４Ｗ、６６Ｕ〜６６におけるドレイン端子とソース端子との間の通電が停止されることで、図４の時間Ｓ４以降に示されるように、漸次三相インバータ６２の周囲の温度が低下する。このように温度が低下することで、当然のことながら温度はＴ１を下回る。しかしながら、本実施の形態では、温度の下降過程において温度Ｔ１を下回る温度に対応した信号Ｐ３が過熱保護回路７４に入力されても、過熱保護回路７４は「Ｌｏｗ」レベルの信号を出力し続ける。
【００８２】
したがって、本実施の形態では、三相インバータ６２の近傍の温度がＴ１を下回った状態で信号Ｐ１が「Ｌｏｗ」レベルになった場合（図４の時間Ｓ５からＳ６までの間）にも、サーミスタ７２及び過熱保護回路７４に対する通電は継続される。このため、このような状態でも、サーミスタ７２から信号Ｐ３は出力され、過熱保護回路７４から信号Ｐ４が出力される。
【００８３】
次いで、この状態から、更に三相インバータ６２の近傍の温度が低下して、温度Ｔ１よりも充分に低い温度Ｔ２に達し、この状態の信号Ｐ３が過熱保護回路７４に入力されると、過熱保護回路７４は信号Ｐ４の信号レベルを「Ｌｏｗ」レベルから「Ｈｉｇｈ」レベルに切り替える。
【００８４】
したがって、この信号Ｐ４がスイッチ制御回路７６に反転入力されると、スイッチ制御回路７６では信号Ｐ４の信号レベルは「Ｌｏｗ」レベルとなり、この状態で、スイッチ制御回路７６に入力される信号Ｐ５の信号レベルが「Ｌｏｗ」レベルであれば、スイッチ制御回路７６から出力される信号Ｐ６の信号レベルは「Ｌｏｗ」レベルとなり、電源５４とメイン制御電源回路７０との間の通電が遮断される。この状態では、論理演算回路６０、サーミスタ７２、過熱保護回路７４に対する通電が遮断されるため、図４の時間Ｓ７以降に示されるように、信号Ｓ３、Ｓ４の出力が停止され、言わば、サーミスタ７２による温度検出が停止される。
【００８５】
ここで、本実施の形態では、上記のように、温度の上昇過程において信号Ｐ４の信号レベルを切り替える閾値（温度Ｔ１）に対して、温度の下降過程において信号Ｐ４の信号レベルを切り替える閾値（温度Ｔ２）が充分に低い。このため、温度Ｔ１の近傍で三相インバータ６２の近傍の温度が安定してしまったり、細かく温度が上下動した場合でも、信号Ｐ４の出力を「Ｌｏｗ」レベルに安定させることができる。
【００８６】
以上のように、本実施の形態では、三相インバータ６２の近傍における温度上昇に起因するサーミスタ７２を破壊や機能低下を効果的に防止できる。しかも、このような効果を得られるにも関わらず、スイッチ回路６８は１つでよく、回路構成を簡素にでき、コストを安価にできる。
【００８７】
なお、本実施の形態では、スイッチ制御回路７６をスタンバイ回路５０や論理演算回路６０、更には、過熱保護回路７４から独立させたが、これは、本実施の形態、ひいては、本発明の理解を容易にするために敢えてスイッチ制御回路７６を独立させた構成にしたものである。したがって、スイッチ制御回路７６若しくはスイッチ制御回路７６と同等の機能をスタンバイ回路５０や論理演算回路６０、更には、過熱保護回路７４等の他の回路に併合した構造を適用してもよい。
【図面の簡単な説明】
【図１】本発明の一実施の形態に係るモータ制御装置の構成の概略を示すブロック図と回路図の複合図である。
【図２】三相インバータの構成の概略を示すブロック図と回路図の複合図である。
【図３】本発明の一実施の形態に係る空調装置用モータの構造の概略を示す断面図である。
【図４】本発明の一実施の形態に係るモータ制御装置における各信号のタイムチャートである。
【符号の説明】
１０・・・モータ制御装置、１２・・・ブラシレスブロワモータ（空調装置用モータ）、１６・・・駆動部、２２・・・ロータ（回転子）、２４・・・マグネット（永久磁石）、３０Ｕ、３０Ｖ、３０Ｗ・・・コイル、５０・・・スタンバイ回路（スタンバイ手段）、６０・・・論理演算回路（整流制御手段）、６４Ｕ、６４Ｖ、６４Ｗ、６６Ｕ、６６Ｖ、６６Ｗ・・・ＭＯＳＦＥＴ（スイッチング素子）、６８・・・スイッチ回路（スイッチ手段）、７２・・・サーミスタ（温度検出手段）、７４・・・過熱保護回路（温度検出手段、温度検出制御手段）、７６・・・スイッチ制御回路（温度検出制御手段）
【図１】
0003994029.tif 000002
【図２】
0003994029.tif 000003
【図３】
0003994029.tif 000004
【図４】
0003994029.tif 000005